(57)【要約】      （修正有）【課題】各使用者が、簡単な操作でその足のサイズに合うように幅調整することができ、その踏面が、不規則に且つ不均一にかかる踏圧に対して十分な強度を有しており、また、使用中にガタつくことがない履物装着用ローラーを提供する。【解決手段】ホイールを回転自在に保持する一対のホイールホルダー３、４から成り、前記ホイールホルダーのうちの一方３は、ホイール１を軸支するための側壁と、ホイールガードと、側壁から水平方向に延びる箱状体７を有していて、箱状体７の上面には、固定ピン９を備えたストッパー８が取り付けられており、前記ホイールホルダーのうちの他方４は、ホイール２を軸支するための側壁と、ホイールガードと、前記側壁から水平方向に延びて前記箱状体内に進入する挿入板２３を有していて、挿入板２３には、前記ストッパー８の固定ピン９を選択的に差し込むための調整孔２４を複数その挿入方向に並設して成る。【選択図】図２
0003157614.tif 000002
【実用新案登録請求の範囲】
【請求項１】
ホイールを回転自在に保持する一対のホイールホルダーを備え、
前記ホイールホルダーのうちの一方は、第１のホイールを内側から軸支する側壁と、前記側壁に連設されていて前記第１のホイールを外側から軸支するホイールガードと、前記側壁から水平方向に延びる箱状体を有していて、前記箱状体の上面に、固定ピンを備えたストッパーが取り付けられ、
前記ホイールホルダーのうちの他方は、第２のホイールを内側から軸支する側壁と、前記側壁に連設されていて前記第２のホイールを外側から軸支するホイールガードと、前記側壁から水平方向に延びて前記箱状体内に進入する挿入板を有していて、前記挿入板には、前記ストッパーの固定ピンを選択的に差し込むための調整孔が複数、その挿入方向に並設されて成る履物装着用ヒールローラー。
【請求項２】
前記他方のホイールホルダーの前記側壁から前記挿入板の前記調整孔形成位置にかけ、Ｌ字形の補強金具が埋設されている、請求項１に記載の履物装着用ヒールローラー。
【請求項３】
前記各ホイールホルダーの前記各側壁に、縦方向に延びる複数の補強リブが設けられている、請求項１又は２に記載の履物装着用ヒールローラー。
【請求項４】
前記他方のホイールホルダーの前記側壁に、前記挿入板との間に間隔を置いて前記挿入板に沿って延びる安定支持板が設けられている、請求項１乃至３のいずれかに記載の履物装着用ヒールローラー。
【請求項５】
前記一方のホイールホルダーの前記ストッパーは、前記箱状体の上面に形成された凹陥部内において起伏可能に枢支され、また、前記凹陥部に連続して、指先による前記ストッパーの起伏操作を助ける補助凹陥部が形成されている、請求項１乃至４のいずれかに記載の履物装着用ヒールローラー。
【請求項６】
前記ストッパーは、踏圧時に傾くことがないようにするために、両側に突出する翼部を有する十字形状又はＴ字形状とされている、請求項１乃至５のいずれかに記載の履物装着用ヒールローラー。
【請求項７】
前記箱状体の内天面は若干下方に膨出していて、前記挿入板の挿入時において前記挿入板の上面に密着し、以て、前記挿入板のガタつきが防止される、請求項１乃至６のいずれかに記載の履物装着用ヒールローラー。
【請求項８】
前記ホイールホルダーのうちの一方から他方に掛かる、甲掛けベルトと踵回りベルトとが備え付けられている、請求項１乃至７のいずれかに記載の履物装着用ヒールローラー。
【請求項９】
前記甲掛けベルト及び／又は踵回りベルトに反射材が定着されている、請求項８に記載の履物装着用ヒールローラー。
【考案の詳細な説明】
【技術分野】
【０００１】
本考案は履物装着用ヒールローラーに関するものであり、より詳細には、スニーカー等の履物の踵部に脱着自在であって、装着してつま先部を上げることにより、ローラースケートの如き走行を楽しむことができる履物装着用ヒールローラーに関するものである。
【背景技術】
【０００２】
スニーカー等の履物の踵部に脱着自在であって、装着してローラースケートの如き走行を楽しむことができる履物装着用ローラーとして、特許文献１（特開２００４−９７８１４号公報）に記載のものが知られている。
【０００３】
上記特許文献１に記載のものは、使用者がその足のサイズに合わせて側壁（１、１´）間の間隔を調整することができるようになっている。その調整は、一方の側壁（１）に設けられた第１結合部（５）に対し、他方の側壁（１´）に設けられた第２結合部（８）を所望量ずらし動かし、上方からねじ止めすることにより行うが、その操作には手間がかかり、また、使用中にねじが緩んでガタつくおそれがある。
【０００４】
また、その側壁（１、１´）に水平方向に設けられる第１及び第２結合部（５、８）、並びに、第一及び第二踏み台（２、２´）と側壁（１、１´）との結合部に、踏圧に対して十分な強度を保持するための配慮がなされていないために、それらが損傷しやすいという問題がある。
【先行技術文献】
【特許文献】
【０００５】
【特許文献１】特開２００４−９７８１４号公報
【考案の概要】
【考案が解決しようとする課題】
【０００６】
上述したように、従来の履物装着用ローラーの場合、幅調整に手間がかかるとか、踏圧に対して十分な強度を有していない等の問題があった。そこで本考案は、そのような問題のない、即ち、各使用者が、簡単な操作でその足のサイズに合うように幅調整することができ、その踏面が、不規則に且つ不均一にかかる踏圧に対して十分な強度を有しており、また、使用中にガタつくことがない履物装着用ヒールローラーを提供することを課題とする。
【課題を解決するための手段】
【０００７】
上記課題を解決するための請求項１に記載の考案は、ホイールを回転自在に保持する一対のホイールホルダーを備え、前記ホイールホルダーのうちの一方は、第１のホイールを内側から軸支する側壁と、前記側壁に連設されていて前記第１のホイールを外側から軸支するホイールガードと、前記側壁から水平方向に延びる箱状体を有していて、前記箱状体の上面に、固定ピンを備えたストッパーが取り付けられ、前記ホイールホルダーのうちの他方は、第２のホイールを内側から軸支する側壁と、前記側壁に連設されていて前記第２のホイールを外側から軸支するホイールガードと、前記側壁から水平方向に延びて前記箱状体内に進入する挿入板を有していて、前記挿入板には、前記ストッパーの固定ピンを選択的に差し込むための調整孔が複数、その挿入方向に並設されて成る履物装着用ヒールローラーである。
【０００８】
好ましい実施形態においては、前記他方のホイールホルダーの前記側壁から前記挿入板の前記調整孔形成位置にかけ、Ｌ字形の補強金具が埋設され、また、前記各ホイールホルダーの前記各側壁に、縦方向に延びる複数の補強リブが設けられ、更に、前記他方のホイールホルダーの前記側壁に、前記挿入板との間に間隔を置いて前記挿入板に沿って延びる安定支持板が設けられる。
【０００９】
また、好ましい実施形態においては、前記一方のホイールホルダーの前記ストッパーは、前記箱状体の上面に形成された凹陥部内において起伏可能に枢支され、また、前記凹陥部に連続して、指先による前記ストッパーの起伏操作を助ける補助凹陥部が形成され、更に前記ストッパーは、踏圧時に傾くことがないようにするために、両側に突出する翼部を有する十字形状又はＴ字形状とされる。
【００１０】
また、好ましい実施形態においては、前記箱状体の内天面が若干下方に膨出していて、前記挿入板の挿入時において前記挿入板の上面に密着し、以て、前記挿入板のガタつきが防止される。
【００１１】
更に、好ましい実施形態においては、前記ホイールホルダーのうちの一方から他方に掛かる、甲掛けベルトと踵回りベルトとが備え付けられ、前記甲掛けベルト及び／又は踵回りベルトに反射材が定着される。
【考案の効果】
【００１２】
上述したように本考案に係る履物装着用ヒールローラーは、一方のホイールホルダーの側壁に水平方向に延びる箱状体が形成され、他方のホイールホルダーの側壁に水平方向に延びて前記箱状体内に進入する挿入板が形成され、挿入板に箱状体の上面に設置されるストッパーの固定ピンを選択的に差し込むための調整孔が複数、その挿入方向に並設されて成るので、各使用者が、単に、ストッパーの固定ピンを調整孔から外して箱状体に対して挿入板をずらし動かすだけで、側壁間の間隔調整を簡単に行うことができる効果がある。
【００１３】
また、特に請求項２、３に記載の発明においては、その踏面が、不規則に且つ不均一にかかる踏圧に対して十分な強度を有する効果があり、また、特に請求項４、６、７及び８に記載の発明においては、使用中にガタつくことがなく、安定した走行を楽しめる効果がある。
【図面の簡単な説明】
【００１４】
【図１】本考案に係る履物装着用ヒールローラーの一実施形態の斜視図である。
【図２】本考案に係る履物装着用ヒールローラーの一実施形態の分解斜視図である。
【図３】本考案に係る履物装着用ヒールローラーの一実施形態の平面図である。
【図４】図３におけるＡ−Ａ線断面図である。
【図５】図３におけるＢ−Ｂ線断面図である。
【考案を実施するための形態】
【００１５】
本考案を実施するための形態について、添付図面に依拠して詳細に説明する。本考案に係る履物装着用ヒールローラーは、ホイール１、２を回転自在に保持する一対のホイールホルダー３、４から成る。
【００１６】
一方のホイールホルダー３は、ホイール１を内側から軸支する側壁５と、側壁５の両端部からホイール１を包囲するように延びて、ホイール１を外側から軸支するホイールガード６とから成る。側壁５には水平方向に延びる箱状体７が一体に設置され、箱状体７の上面に、固定ピン９を備えたストッパー８が取り付けられる。
【００１７】
例えばストッパー８は、箱状体７の上面に形成される凹陥部１１内に、その上面が箱状体７の上面と面一状態にて収まるように形成され、その側壁５側端部が軸支されて起伏可能にされる。そして、その箱状体７の上面と面一状態となる伏時において、その固定ピン９が、箱状体７の上面、換言すれば、凹陥部１１内に穿設されたピン孔１０に嵌入して突き抜ける（図４参照）。ストッパー８の起伏操作は指先にて行うが、この指先によるストッパー８の起伏操作を容易にするために、箱状体７の上面に、凹陥部１１に連なる指掛け用の補助凹陥部１２が形成される。この補助凹陥部１２があることにより、ストッパー８の先端に指先を引っ掛けやすくなる。
【００１８】
また、ストッパー８は、踏圧時に傾くことがないようにするために、両側に突出する翼部１３を有する十字形状、あるいは、Ｔ字形状とすることが好ましい。
【００１９】
更に、好ましい実施形態においては、側壁５の踵部側端部に、踵回りベルト１５の一端を取り付けるためのベルト取付け部１６が突設され、また、その上面に、甲掛けベルト１７の一端を取り付けるためのベルト取付け部１８が形成される。踵回りベルト１５と甲掛けベルト１７は、伸縮自在又は長さ調整可能にされ、好ましくは、その一方又は双方に反射材１９が定着される。図示した例では、反射材１９は踵回りベルト１５の方に定着されている。
【００２０】
他方のホイールホルダー４も、ホイール２を保持するための側壁２１と、側壁２１の両端部からホイール２を包囲するように延びるホイールガード２２とから成り、ホイール２は側壁２１とホイールガード２２との間において軸支される。側壁２１は、水平方向に延びて箱状体７内に進入する挿入板２３を有し、挿入板２３には、ストッパー８の固定ピン９を選択的に差し込むための調整孔２４が複数（図示した例では４個）、箱状体７内への挿入方向に適宜間隔置きに並設される。
【００２１】
好ましい実施形態においては、ホイールホルダー４の側壁２１から挿入板２３にかけ、調整孔２４を避けるようにして、Ｌ字形の補強金具２５が埋設されて補強される（図３、図４参照）。また、側壁２１（及び側壁５）に、縦方向に延びる補強リブ２６を適宜数設ける。更に、ホイールホルダー４の側壁２１に、挿入板２３との間に間隔、即ち、箱状体７の側面の厚みより僅かに大の間隔を保持して、挿入板２３の両側面に沿って延びる安定支持板２７が突設される。この安定支持板２７は、挿入板２３を箱状体７内に進入させた際の横ブレを防止する役目を果たす。
【００２２】
好ましい実施形態においては、箱状体７の内天面３０を若干下方に膨出させ、挿入板２３の挿入時において挿入板２３の上面に密着するようにされる（図４、５参照）。このようにした場合は、挿入板２３を箱状体７内に進入させた際に挿入板２３の上面が内天面３０に押し付けられ、以て、そのガタつきが防止される。
【００２３】
側壁２１の踵部側端部には、踵回りベルト１５の一端を取り付けるためのベルト取付け部２８が突設され、また、その上面に、甲掛けベルト１７の一端を取り付けるためのベルト取付け部（取付孔）２９が形成される。
【００２４】
上記構成の本考案に係る履物装着用ヒールローラーの使用に際しては、ストッパー８を起こした状態で箱状体７内に挿入板２３を適量進入させ、ストッパー８を倒してその固定ピン９をピン孔１０を通し、その位置の調整孔２４に差し込む。そして、踵回りベルト１５及び甲掛けベルト１７を外した状態で、踏面となる箱状体７の上に踵部を載せ、両側壁５、２１間の間隔を観察する。
【００２５】
その間隔が狭すぎる場合又は広すぎる場合は、ストッパー８を起こして外し、箱状体７内において挿入板２３を所望量ずらし動かすことで、側壁５、２１間の間隔調整を行うことができる。その後ストッパー８を倒し、固定ピン９をピン孔１０を通してその位置の調整孔２４に差し込んで調整完了となり、踵回りベルト１５及び甲掛けベルト１７を装着して使用可能となる。走行に当たっては、つま先部を少し上げて地上から離せば、ヒール走行が可能となり、ローラースケートと同様の走行が楽しめる。
【００２６】
この考案をある程度詳細にその最も好ましい実施形態について説明してきたが、この考案の精神と範囲に反することなしに広範に異なる実施形態を構成することができることは明白なので、この考案は添付請求の範囲において限定した以外はその特定の実施形態に制約されるものではない。
【符号の説明】
【００２７】
１、２      ホイール
３、４      ホイールホルダー
５、２１    側壁
６、２２    ホイールガード
７          箱状体
８          ストッパー
９          固定ピン
１０        ピン孔
１１        凹陥部
１２        補助凹陥部
１３        翼部
１５        踵回りベルト
１６、１８  ベルト取付け部
１７        甲掛けベルト
１９        反射材
２３        挿入板
２４        調整孔
２５        補強金具
２６        補強リブ
２７        安定支持板
２８、２９  ベルト取付け部
３０        内天面
【図１】
0003157614.tif 000003
【図２】
0003157614.tif 000004
【図３】
0003157614.tif 000005
【図４】
0003157614.tif 000006
【図５】
0003157614.tif 000007